(57)【要約】【課題】錠ケースの内部空間に錠機構を構成する各部材を合理的に組み込み、錠ケースをコンパクト化すること。【解決手段】錠ケースの内部空間を、施錠片の水平スライド軸を通る線をＸ軸、一方、電気式施・解錠部材の駆動片を枢支する中央部の固定軸を通る線をＹ軸として四つに分割し、フロント側の上又は下の第１空間にソレノイドを横設し、一方、ソレノイドの作動杆側の第２空間に、サムターンダルマと、該サムターンダルマに係合する作動片と、この作動片と協働するように固定一軸に該作動片と共に軸支されかつ駆動片の他端部と係合するロッキングピースとを有する手動式解錠部材を配設し、この手動式解錠部材に対する後壁側の第３空間に把手側の駆動ハブに固定的に外嵌合しかつ水平スライド軸に係合する手動式駆動部材を配設し、さらに、第１空間とは反対側のフロント側の第４空間にトリガーを有する進退動部材を配設したことを特徴とする扉用電気錠。【選択図】  図１
2004332492.tif 000002
【特許請求の範囲】
【請求項１】
錠ケースの内部空間を、施錠片の水平スライド軸を通る線をＸ軸、一方、電気式施・解錠部材の駆動片を枢支する中央部の固定軸を通る線をＹ軸として四つに分割し、フロント側の上又は下の第１空間にソレノイドを横設し、一方、ソレノイドの作動杆側の第２空間に、サムターンダルマと、該サムターンダルマに係合する作動片と、この作動片と協働するように固定一軸に該作動片と共に軸支され、かつ、前記駆動片の他端部と係合するロッキングピースとを有する手動式解錠部材を配設し、この手動式解錠部材に対する後壁側の第３空間に把手側の駆動ハブに固定的に外嵌合し、かつ、前記水平スライド軸に係合する手動式駆動部材を配設し、さらに、前記第１空間とは反対側のフロント側の第４空間に、トリガーを有する進退動部材を配設したことを特徴とする扉用電気錠。
【請求項２】
請求項１に於いて、錠ケースの第４空間に、施錠片の位置を扉の開閉に対応してラッチの位置又はデッドの位置にそれぞれ調整する施錠片保持部材が組み込まれていることを特徴とする扉用電気錠。
【請求項３】
請求項１又は請求項２に於いて、施錠片保持部材は、固定横軸に軸支された係合アームと、この係合アームを常時デッドラッチのデッド部から離れる方向へと付勢するバネ部材とから成ることを特徴とする扉用電気錠。
【請求項４】
請求項１に於いて、錠ケース内に、進退動部材に関連付けられた第１スイッチと、手動式解錠部材に関連付けられた第２スイッチとを組み込み、前記第１スイッチは、Ｙ軸線上又はこれに準じる位置に配設され、一方、前記第２スイッチは、Ｘ軸線上又はこれに準じる位置に配設されていることを特徴とする扉用電気錠。
【請求項５】
請求項１に於いて、ロッキングピースは、後端部側に軸孔を有する長板状の対向板と、これらの対向板の先端部を連結する駆動片用受板とから構成され、前記対向板の先端部には、駆動アームの他端部と係合する突起が設けられていることを特徴とする扉用電気錠。
【請求項６】
請求項１に於いて、作動片の傾斜縁には、該作動片が回転中にロッキングピースの後端部に形成した受け部と当接する小係合爪が設けられていることを特徴とする扉用電気錠。
【請求項７】
請求項１に於いて、手動式駆動部材を構成する駆動ハブとリトラクターとを一体的に結合し、また、前記リトラクターに形成された貫通孔には、リトラクターを初期位置へと常時付勢する把手用バネの一端部が差し込まれていることを特徴とする扉用電気錠。
【請求項８】
請求項１に於いて、施錠片はデッドラッチであり、該デッドラッチのデッド部分には、施錠片保持部材と係脱し、かつ、緩衝部材を有する支持突片が設けられていることを特徴とする扉用電気錠。
【発明の詳細な説明】
【０００１】
【発明の属する技術分野】
本発明は、ホテルの客室、研究室などの扉に取付けられる扉用電気錠に関する。
【０００２】
【従来の技術】
出願人は、先行技術文献の情報の開示義務として、日本国の実公平４（１９９２）−１９１８０号公報を記載する。この公報の電気錠の錠ケースは、扉の開放側端部に取付けられる。
しかして、錠ケースの内部空間には、「ストライクに係合した施錠片を施錠状態にする電気式施・解錠部材、錠機構が解錠状態になった時に施錠片を錠ケースの内側に引き戻す把手側の手動式駆動部材、先端部側がフロントから突出し、一方、後端部側が扉の開閉状態を検出するスイッチに関連付けられた進退動部材（トリガー）がそれぞれ組み込まれている。」
しかしながら、この実施例に於いては、ソレノイドを有する電気式施・解錠部材を始めとし、錠機構を構成する各部材の部品点数が非常に多いので、錠ケースをコンパクト化することができないという欠点があった。また、錠ケースの内部空間を有効に活用していなという欠点もあった。
【０００３】
【発明が解決しようとする課題】
本発明は以上のような従来の問題点に鑑み、第１の目的は、錠機構を構成する部品点数を少なくすることである。第２の目的は、ソレノイドを有する電気式施・解錠部材と、サムターン側の手動式解錠部材と、把手側の手動式駆動部材と、ストライクに当接する進退動部材（トリガーなど）とを錠ケースの内部空間に合理的に組み込むことである。第３の目的は、第１及び第２の目的を達成することにより、錠ケースをコンパクトにすることができることである。第４の目的は、扉を開いた時に、施錠片が施錠方向に回転しないように、該施錠片をデッド位置に確実に保持することができることである。第５の目的は、複数個のスイッチを錠ケースの内部空間に合理的に配設することである。
【０００４】
【課題を解決するための手段】
本発明の扉用電気錠は、錠ケースの内部空間を、施錠片の水平スライド軸を通る線をＸ軸、一方、電気式施・解錠部材の駆動片を枢支する中央部の固定軸を通る線をＹ軸として四つに分割し、フロント側の上又は下の第１空間にソレノイドを横設し、一方、ソレノイドの作動杆側の第２空間に、サムターンダルマと、該サムターンダルマに係合する作動片と、この作動片と協働するように固定一軸に該作動片と共に軸支され、かつ、前記駆動片の他端部と係合するロッキングピースとを有する手動式解錠部材を配設し、この手動式解錠部材に対する後壁側の第３空間に把手側の駆動ハブに固定的に外嵌合し、かつ、前記水平スライド軸に係合する手動式駆動部材を配設し、さらに、前記第１空間とは反対側のフロント側の第４空間に、トリガーを有する進退動部材を配設したことを特徴とする。
【０００５】
上記構成に於いて、錠ケースの第４空間に、施錠片の位置を扉の開閉に対応してラッチの位置又はデッドの位置にそれぞれ調整する施錠片保持部材が組み込まれていることを特徴とする。
【０００６】
【発明の実施の形態】
図１乃至図１６は、本発明の扉用電気錠の一実施例を示す。この電気錠は、錠機構を構成する各部材を組み込むための錠ケース１を有する。錠機構は、ストライクに係合した施錠片（例えばデッドラッチ）３を施錠状態にする電気式施・解錠部材１１と、この施・解錠部材１１による施錠状態を室内側から解錠するサムターン側の手動式解錠部材２１と、錠機構が解錠状態になった時に前記施錠片３を錠ケース１の内側に引き戻す把手側の手動式駆動部材４１と、先端部側が建物の開口枠に設けたストライク２と当接可能に突出し、一方、後端部側が扉４の開閉状態を検出する第１スイッチ５５に関連付けられた進退動部材６１とから成る。
【０００７】
まず、図３、図４等を参照にして横長状錠ケース１と、錠ケース１に配設される主たる部材について説明する。なお、図２〜図１６は本発明のポイントを示す各概略説明図である（フロントの添板、メネジを有する取付け筒、嵌合孔等は省略してある）。
【０００８】
錠ケース１は、一側面開口のケース身（ケース本体）１ａと、ケース蓋１ｂと、フロント１ｃとから成る。錠ケース１は、縦框に取付けられたストライク２に施錠片（例えばデッドラッチ）３が係合するように扉４に取付けられる。フロント１ｃには、施錠片用開口５と、進退動部材６１のトリガー用開口６が形成されている。ここで説明の便宜上、ケース身１ａに符号を付す。７は上壁、８は後壁、９は下壁である。
【０００９】
次に、錠ケース１の内部空間１０について説明する。本実施例では、錠ケース１の内部空間１０を、デッドラッチ３の水平スライド軸３ｃを通る線をＸ軸、一方、電気式施・解錠部材１１の駆動片１３を枢支する中央部の固定軸１２を通る線をＹ軸として四つ１０ａ、１０ｂ、１０ｃ、１０ｄに分割している。本実施例の四つに分割された第１乃至第４の空間部は、略均等である。
【００１０】
図３、図４に於いて、１０ａはフロント１ｃ側の第１空間（左上）である。この第１空間１０ａは、施錠片３の水平スライド軸３ｃよりも上方の空間部分に相当する。この第１空間１０ａに電気式施・解錠部材１１を構成する駆動源１１ａが組み込まれている。
【００１１】
すなわち、１１ａは第１空間１０ａに固定的に横設されたソレノイドである。１１ｂはソレノイドの作動杆である。この作動杆１１ｂにＬ型駆動片１３の一端部１３ａが枢支ピンを介して枢支されている。
【００１２】
前述したように、駆動片１３の中央部は、Ｙ軸線上の固定軸１２に軸支されている。固定軸１２には、作動杆用のコイルばね１４の中央部が設けられている。コイルばね１４の一端部１４ａはソレノイド１１ａの支持枠１５の壁面に圧接し、一方、他端部１４ｂは後述するロッキングピース（ロック片）２４のバネ受け兼用係合突起３５に圧接している。
【００１３】
図４、図５に於いて、１０ｂは錠ケース１の後壁８側の第２空間である。この第２空間１０ｂは、ソレノイド１１ａの作動杆１１ｂの伸長方向にある空間（後壁側の右上）に相当する。
【００１４】
この第２空間１０ｂに、手動式解錠部材２１を構成するサムターンダルマ２２と、該サムターンダルマ２２に係合すると共に、施錠及び解錠信号を検知する第２スイッチ２５に関連付けられた作動片（リセットボード）２３と、この作動片と協働するように後壁側の固定一軸２６に該作動片２３と共に軸支され、かつ、前記駆動片１３の他端部１３ｂと係合するロッキングピース２４が配設されている。
【００１５】
図６で示すように、手動式解錠部材２１は、サムターンダルマ２２と、作動片２３と、ロッキングピース２４で構成されている。しかして、サムターンダルマ２２は、錠ケース１の嵌合孔１６に嵌合する筒状部２２ａと、この筒状部２２ａから半径方向に延びた駆動アーム２２ｂと、この駆動アーム２２ｂの上面（手前の見える面）に突設された小係合突起２２ｃとから成る。
【００１６】
また作動片２３は、前記小係合突起２２ｃと係合する係合長孔２７及び軸孔２８を有する幅広の係合板部２３ａと、この係合板部２３ａの一端部を段差状に折り曲げて形成した下端部２３ｂと、この下端部２３ｂとは反対側に指先状に連設した上端部２３ｃと、この上端部寄りの傾斜縁に突設したロッキングピース用小係合爪２９とから成る。
【００１７】
またロッキングピース２４は、後端部側に軸孔３１を有する長板状の対向板３２，３３と、これらの対向板３２，３３の先端部を連結する受板３４とから構成され、ケース身１ａの幅広側壁の内壁面側に位置する対向板３３の先端部には、バネ受け兼用係合突起３５が設けられている。
前記係合突起３５は、駆動片１３の他端部１３ｂと係合する。また対向板３３の後端部には、第２スイッチ２５の可動接片と当接するスイッチ用突起３６が設けられている。
【００１８】
固定一軸２６は、作動片２３とロッキングピース２４とを軸支する。３８は固定一軸２６に設けられた付勢バネで、この付勢バネ３８の一端部３８ａは作動片２３の下端部の切欠部分３９に圧接し、一方、他端部３８ｂは錠ケース１の後壁８に圧接する。
【００１９】
図５に於いて、１０ｃは手動式駆動部材４１用の第３空間である。この第３空間１０ｃは手動式解錠部材２１の下方の空間部分に相当する。この第３空間部１０ｃに手動式駆動部材４１を構成する駆動ハブ４２と、リトラクター（駆動カム）４３とが一体的に配設されている。
【００２０】
すなわち、４２は把手側の角軸に嵌合する駆動ハブ（筒体）で、この駆動ハブ４２には、水平スライド軸３ｃのフランジ部３ｄに係合するリトラクター（引き戻し片）４３が固定的に外嵌合している。
【００２１】
図７を参照にしてリトラクター４３を説明する。このリトラクター４３もロッキングピース２４と同様に、ケース蓋側の円形状係合板４４と、この係合板４４と対向するケース身側の円形状係合板４５と、これらの円形状係合板４４，４５の一部を連結する連結板４６とから成る。
【００２２】
したがって、本実施例の駆動ハブ４２、リトラクター４３は、図示しない内外の把手をそれぞれ操作すると一緒に回転する。各係合板４４，４５は、中央部に駆動ハブ４２用の嵌合孔４７，４７を有する。また、円周縁に親指状係合爪４８，４８が１対突設されている。これらの係合爪４８，４８は、デッドラッチ３に後端部に形成したフランジ部３ｄに係合可能である。また係合爪４８，４８の付近には、突起状当接部４９が形成されている。さらに、前記連結板４６の下部には、バネ端支持用の貫通孔５０が形成されている。
【００２３】
５１はリトラクター４３を初期位置へと常時付勢する把手用バネで、駆動ハブ４２に巻装されている。バネ力が強い把手用バネ５１の一端部５１ａは、リトラクター４３の貫通孔５０に差し込まれ、一方、他端部５１ｂは第２スイッチ２５とリトラクター４３との間に固定的に設けられた取付け筒５２に圧接している。図８に於いて、１０ｄは錠ケース１のフロント１ｃ側の第４空間である。この第４空間１０ｄは、第１空間１０ａとは反対側のフロント側空間部分（左下）に相当する。この第４空間１０ｄに、先端部側がフロント１ｃから突出し、一方、後端部側が扉４の開閉状態を検出する第１スイッチ５５に関連付けられた進退動部材（トリガー、摺動軸、当接片、押圧片、バネ）６１が配設されている。
【００２４】
図８及び図９を参照にして進退動部材６１を説明する。進退動部材６１は、ラッチと同一形状のトリガー６１ａと、このトリガーの後端部に水平状態に固定された摺動軸６１ｂと、この摺動軸に取付けられ、かつ、第１スイッチ５５の可動接片に関連付けられたスイッチ用当接片６１ｃとから成る。
【００２５】
進退動部材６１は、錠ケース１の下壁９に形成した２個の挿入孔を介して差し込まれた断面上向きコ型の固定ガイド片１７に案内されている。また進退動部材６１は、固定ガイド片１７の一方の垂直壁１７ａに圧接するように摺動軸６１ｂに装着されたトリガーバネ６２により、突出方向に常時付勢されている。
【００２６】
ここで、図９を参照にして施錠片（例えばデッドラッチ）３について説明する。ここでは、ラッチとデッドボルトの両方の機能を有する施錠片を、「デッドラッチ」と称している。このデッドラッチ３は、傾斜面を有するラッチ部分３ａと、このラッチ部分３ａに連設する四角型のデッド部分３ｂと、このデッド部分３ｂに水平状態に取付けられた水平スライド軸３ｃと、この水平スライド軸３ｃの後端部に周設されたフランジ部３ｄとから成り、錠ケース１の中央部寄りの固定された端面コ字型状のバネ受片１８に案内されている。
【００２７】
しかして、本実施例では、前記デッド部分３ｂの後端部に支持突片６５が下方方向に連設している。しかも、前記支持突片６５の前面には、緩衝部材（ゴム）６６が固定されている。デッドラッチバネ６７は、デッド部分３ｂの後端面と錠ケース１に固定されたバネ受片１８との間に於いて、水平スライド軸３ｃに巻装されている。したがって、デッドラッチバネ６７は、施錠片３を常時突出する方向へ付勢している。
【００２８】
ところで、本実施例では、第４空間１０ｄに、さらに、デッドラッチ３の位置を扉の開閉に対応してラッチの位置（扉を開いた時にラッチ部分３ａのみ突出する。）又はデッドの位置（扉を閉じた時にデッド部分３ｂも突出する。）にそれぞれ調整する施錠片保持部材７０が組み込まれている。
【００２９】
この施錠片保持部材７０は、第４空間１０ｄに設けられた固定横軸７１に軸支された係合アーム７２と、この係合アーム７２を常時デッドラッチ３の緩衝部材６６から離れる（係合解除）方向へと付勢するバネ部材７３とから成る。
【００３０】
しかして、前記係合アーム７２は、図１０で示すように、固定横軸７１に枢支された対向アーム部７２ａ，７２ａと、これらの対向アーム部７２ａ，７２ａの先端部を連結し、かつ、扉を開いた時にラッチの位置になるようにデッドラッチ３の緩衝部材６６に係合する係合棒７２ｂとから成る。
【００３１】
また、手前側の対向アーム部７２ａには、脚状当接部７２ｃが斜め下方方向へ延びており、該当接部７２ｃは進退動部材６１の摺動軸６１ｂに設けた押圧片６１ｄと当接可能である。
【００３２】
ところで、錠ケース１の内部空間を有効的に活用するために、図１で示すように、本実施例の第２スイッチ２５は、Ｘ軸線上又はこれに準じる位置（Ｘ軸線付近）に配設され、一方、第１スイッチ５５は、Ｙ軸線上又はこれに準じる位置（Ｙ軸線付近）に配設されている。
【００３３】
図１２〜図１６を参照にして本発明の作用を説明する。まず、図１２は施錠状態にする時の概略説明図である。扉４を閉めると、進退動部材６１のトリガー６１ａは、ストライク２の前面に突き当たるので、トリガーバネ６２のバネ力に抗して錠ケース１内へと後退する。そうすると、進退動部材６１の押圧片６１ｄは、係合アーム７２の脚状当接部７２ｃから離れるので、係合アーム７２は、固定横軸７１を支点にし、かつ、バネ部材７３のバネ力により係止解除の方向（反時計方向）Ａへと回転する。これによりデッドラッチ３の支持突片６５及び緩衝部材６６から係合アーム７２の係合棒７２ｂが離れるので、デッドラッチ３はデッドラッチバネ６７のバネ力により突出し、ストライク２に係合する（ラッチ位置からデッド位置になる）。したがって、ロッキングピースはデッドラッチ３の後端面と係合（施錠）可能となる。
【００３４】
第１スイッチ５５は、進退動部材６１の進退動に対応して、「ＯＮ」又は「ＯＦＦ」する。そこで、第１スイッチ５５は、進退動部材６１を介して扉の閉状態を検知する。検知信号は図示しない制御手段へと送られる。制御手段は電気式施・解錠部材１１を制御する。例えばソレノイド１１ａが通電状態になると、作動杆１１ｂが伸長する。作動杆１１ｂが伸長すると、駆動片１３は固定軸１２を支点にして回転し、ロッキングピース２４を施錠方向（矢印Ａ）へと回転させる。なお、駆動片１３の他端部１３ｂは、ロッキングピース２４のバネ受け突起３５に係合しているので、ロッキングピース２４が固定一軸２６を支点にして施錠方向Ａと回転すると、それに連動し、かつ、固定軸１２を支点にして矢印Ｂ方向へ回転する。
【００３５】
図１３は室内側からサムターンを利用し、又は室外側からキーを操作して施錠状態を解錠状態にした場合の手動式解錠部材２１の概略説明図である。サムターンダルマ２２の係合突起２２ｃは作動片２３の係合長孔２７に係合しているから、サムターンダルマ２２が矢印Ａ方向へ回転すると、作動片２３は矢印Ｂ方向へと回転する。
【００３６】
また、作動片２３の傾斜縁には小係合爪２９が突出形成されているから、作動片２３が矢印Ｂ方向へと回転すると、その回転途中で、小係合爪２９はロッキンクセピース２４の上方（手前）対向板３２の指先状受け部３７に当接する。そして、そのまま作動片２３が回転し続けると、ロッキンクセピース２４は付勢バネ３８のバネ力に抗して作動片２３と協働して矢印Ｂ方向へと回転する。
【００３７】
この時、駆動レバー１３は固定軸１２を支点に矢印Ａ方向へと回転する。また、第２スイッチ２５は、ロッキングピース２４のスイッチ用突起３６と関係しているので、ロッキングピース２４の回転方向に対応して「ＯＮ」、「ＯＦＦ」する。
【００３８】
図１４は、解錠態様の概略説明図である。一方はソレノイド１１ａの作動杆１１ｂの収縮による解錠例を示し、他方はサンターンダルマ２２による解錠例を示す。前者の場合於いて、ロッキングピース２４は、駆動片１３の他端部１３ｂによって係止解除の方向へと持ち上げられる。
【００３９】
図１５は扉４を開けた場合に於いて、施錠片保持部材７０が作用した場合の概略説明図である。扉４を開けると、トリガー６１ａはストライク２から離れるので、トリガーバネ６２のバネ力により前進可能となる。この時デッドラッチ３は、把手（例えばレバーハンドル）の押し下げ操作により、駆動ハブ４２及びリトラクター４３が一緒に回転するので、バネ力に抗して錠ケース内に後退している。
【００４０】
そこで、進退動部材６１の動きに関しては、図１２の説明とは逆になる。すなわち、進退動部材６１のトリガー６１ａがトリガーバネ６２のバネ力により前進すると、その押圧片６１ｄは係合アーム７２の脚状当接部７２ｃに衝突し、かつ、そのまま前進する。
【００４１】
したがって、係合アーム７２はバネ部材７３のバネ力により、かつ、固定横軸７２を基準に矢時Ｂ方向（時計方向）へと回転するので、デッドラッチ３のデッド部分３ｂは、係合アーム７２の係合棒７２ａに係止される。この時デッドラッチ３は、ラッチ３ａの部分のみがフロント１ｃから突出し、いわゆる「ラッチ位置」となる。
【００４２】
なお、図１６で示すように、把手から手を離すと、手動式駆動部材４１は、把手用バネ５１のバネ力により、矢印Ａ方向（反時計方向）へと回転し、いわゆる初期位置へと戻る。したがって、リトラクター４３の係合爪４８はデッドラッチ３のフランジ部３ｄから多少離れる。
【００４３】
【実施例】
本実施例に於いて、錠ケース１のフロント側上方の第１空間にソレノイドを横設しているが、フロント側下方の第４空間１０ｄの方にソレノイドを横設しても良い。この場合には、進退動部材６１を上方の第１空間１０ａに、把手側の手動式駆動部材４１を右隣の第２空間部１０ｂに、サムターン側の手動式解錠部材２１を下方の第３空間部１０ｃにそれぞれ配設される。要は、錠ケース１をコンパクト化するために、錠機構を構成する各部材１１，２１，４１，６１を錠ケース１の第１乃至第４空間に合理的に組み込めば良い。
【００４４】
【発明の効果】
以上の説明から明らかなように、本発明にあっては、次に列挙するような効果がある。
（１）錠ケース内にソレノイドを横方向に配設した上で、サムターンダルマに係合する作動片と施錠片に係脱するロッキングピースとを一軸で枢支し、また、把手側の駆動ハブに施錠片に係合可能なリトラクターを固定的に外嵌合したので、錠機構を構成する部品点数を少なくすることができる。
（２）錠ケースの内部空間を、施錠片の水平スライド軸を通る線をＸ軸、一方、電気式施・解錠部材の駆動片を枢支する中央部の固定軸を通る線をＹ軸として四つに分割し、フロント側の上又は下の第１空間にソレノイドを横設した上で、他の第２〜第４空間にサムターン側の手動式解錠部材と、把手側の手動式駆動部材と、ストライクに当接する進退動部材とを合理的に組み込んだので、錠ケースをコンパクト化することができる。
（３）電気式施・解錠部材のソレノイドの作動杆に枢支した駆動板と、少なくとも手動式解錠部材とが互いに連動しているので、施錠状態の時に於いて、室内側からサムターンを自由に操作してロッキングピースを解錠することができる。したがって、本発明の電気錠は、ホテルの客室、研究室などの扉に適合する。
（４）錠ケース内に施錠片の突出量を調整することができる施錠片保持部材を設けたので、例えば扉を開いた時に、施錠片を所定の突出位置（デッド位置）に保持することができる。したがって、施錠片がフロントから完全に突出しないので、施錠片の水平スライド軸の後端部にキングピースの一端部が乗っかる。換言すれば、扉を開いた時にロッキングピースが施錠方向に回転することを防止することができる。
（５）特に、進退動部材に関連付けられた第１スイッチをＹ軸線上又はこれに準じる位置（Ｙ軸線付近）に配設し、一方、サムターン側の手動式解錠部材に関連付けられた第２スイッチをＸ軸線上又はこれに準じる位置（Ｘ軸線付近）に配設したので、錠ケースの狭い内部空間を有効的に活用することができる。
【図面の簡単な説明】
図１乃至図１６は本発明の一実施例を示す各概略説明図。
【図１】全体の内部構造を示す概略説明図（施錠時）。
【図２】錠ケースの上壁を切欠した内部構造の主たる部材の説明図。
【図３】錠ケースの内部空間と各部材の配設位置を示す概略説明図。
【図４】電気式施・解錠部材の配設位置を示す概略説明図。
【図５】手動式解錠部材及び手動式駆動部材の配設位置を示す概略説明図。
【図６】サムターンダルマ、作動片、ロッキングピース等の斜視図。
【図７】駆動ハブ、リトラクター、把手用バネ等の斜視図。
【図８】施錠片、進退動部材及び施錠片保持部材の概略説明図。
【図９】図８で示した各部材の斜視からの概略説明図。
【図１０】施錠片保持部材の斜視図。
【図１１】錠ケースに対するバネ部材、スイッチ、駆動片、サムターンダルマ等の組み込み位置を示す補足説明図。
【図１２】扉を閉めた時の主たる部材の作用の概略説明図。
【図１３】手動式解錠部材の作用の概略説明図。
【図１４】解錠態様の概略説明図。
【図１５】扉を開けた場合に於いて、施錠片保持部材の作用の概略説明図。
【図１６】全体の内部構造を示す概略説明図（解錠時）。
【符号の説明】
１…錠ケース、１ａ…ケース身、１ｂ…ケース蓋、１ｃ…フロント、２…ストライク、３…施錠片、３ａ…ラッチ部分、３ｂ…デッド部分、３ｃ…水平スライド軸、３ｄ…フランジ部、４…扉、１０…内部空間、１０ａ…第１空間、１０ｂ…第２空間、１０ｃ…第３空間、１０ｄ…第４空間、１１…電気式施・解錠部材、１１ａ…ソレノイド、１１ｂ…作動杆、１２…中央部の固定軸、１３…駆動片、１３ｂ…他端部、１５…支持枠、１７…ガイド片、１８…バネ受片、２１…手動式解錠部材、２２…サムターンダルマ、２３…作動片、２４…ロッキングピース、２５…第２スイッチ、２６…固定一軸、２９…小係合爪、３４…受板、３５…突起、３６…スイッチ用突起、３７…受け部、３８…付勢バネ、４１…手動式駆動部材、４２…駆動ハブ、４３…リトラクター、４８…係合爪、５１…把手用バネ、５５…第１スイッチ、６１…進退動部材、６１ａ…トリガー、６１ｂ…摺動軸、６１ｄ…押圧片、６２…トリガーバネ、６５…支持突片、６６…緩衝部材、６７…デッドラッチバネ、７０…施錠片保持部材、７１…固定横軸、７２…係合アーム、７２ｂ…係合棒、７２ｃ…脚状当接部、７３…バネ部材。
【図１】
2004332492.tif 000003
【図２】
2004332492.tif 000004
【図３】
2004332492.tif 000005
【図４】
2004332492.tif 000006
【図５】
2004332492.tif 000007
【図６】
2004332492.tif 000008
【図７】
2004332492.tif 000009
【図８】
2004332492.tif 000010
【図９】
2004332492.tif 000011
【図１０】
2004332492.tif 000012
【図１１】
2004332492.tif 000013
【図１２】
2004332492.tif 000014
【図１３】
2004332492.tif 000015
【図１４】
2004332492.tif 000016
【図１５】
2004332492.tif 000017
【図１６】
2004332492.tif 000018